(57)【要約】【課題】  簡易な構成により高密度にホログラムが形成された記録媒体から情報を再生することのできるホログラム再生ヘッドを提供する。【解決手段】  記録媒体１０上のホログラム１１に記録された情報を再生するホログラム再生ヘッドにおいて、ホログラム１１を再生するための参照光２１を発生する光源３と、ホログラム１１からの再生光２２を受光する受光部４とを同一基板２上に配置し、基板２と対向するように光源３からの光２０及び再生光２２を透過させる透明板５を設け、透明板５には光源３と対向する位置に参照光２１を回折させホログラム１１に入射させる光路変更ホログラム５ａを設けると共に、透明板５の表面にはホログラム１１からの再生光２２が透過する位置にピンホールフィルタ６ａを設けてなる。【選択図】  図３
2006099925.tif 000002
【特許請求の範囲】
【請求項１】
記録媒体上のホログラムに記録された情報を再生するホログラム再生ヘッドにおいて、
上記ホログラムを再生するための参照光を発生する光源と、上記ホログラムからの再生光を受光する受光部とを同一基板上に配置し、該基板と対向するように上記光源からの光及び上記再生光を透過させる透明板を設け、該透明板には上記光源と対向する位置に上記参照光を回折させ上記ホログラムに入射させる光路変更ホログラムを設けると共に、上記透明板の表面には上記ホログラムからの再生光が透過する位置にピンホールフィルタを設けたことを特徴とするホログラム再生ヘッド。
【請求項２】
上記光路変更ホログラムは上記参照光を２つの光に分岐させ、該分岐した一方の光は上記ホログラムに入射して再生光となり上記受光部に入射し、他方の光は上記記録媒体上に形成された位置制御用ホログラムに入射して位置制御情報光となり上記受光部に入射することを特徴とする請求項１記載のホログラム再生ヘッド。
【請求項３】
記録媒体上のホログラムに記録された情報を再生するホログラム再生ヘッドにおいて、
上記ホログラムを再生するための参照光を発生しホログラムに入射させる発光部と、上記ホログラムからの再生光を受光する受光部とを同一基板上に配置し、該基板と対向するように上記参照光及び再生光を透過させる透明板を設け、上記透明板の表面には上記ホログラムからの再生光が透過する位置にピンホールフィルタを設けたことを特徴とするホログラム再生ヘッド。
【請求項４】
上記発光部は上記参照光を発生する光源と、該光源からの光を上記ホログラムに入射させるレンズ部とを鏡筒内に納めてなることを特徴とする請求項３記載のホログラム再生ヘッド。
【請求項５】
上記レンズ部は集光レンズと該集光レンズの後方に配置されるコリメーターレンズとからなることを特徴とする請求項４記載のホログラム再生ヘッド。
【請求項６】
上記透明板の表面には上記ホログラムからの再生光が透過する位置の周囲部に遮光物からなる不透過膜が形成されて上記ピンホールフィルタを構成することを特徴とする請求項１〜５のいずれか１項に記載のホログラム再生ヘッド。
【請求項７】
上記ピンホールフィルタは上記ホログラムからの再生光のビームウエスト位置に配置されることを特徴とする請求項１〜６のいずれか１項に記載のホログラム再生ヘッド。
【発明の詳細な説明】
【技術分野】
【０００１】
本発明は、記録媒体上のホログラムに記録された情報を再生するホログラム再生ヘッドに関し、特にユニット化された構成からなるホログラム再生ヘッドに関する。
【背景技術】
【０００２】
従来からホログラムの原理により情報を記録した記録媒体から情報を再生するホログラム再生装置が知られている。このホログラム再生装置では、ホログラムを形成するのに用いた参照光と同じ波長の光を同じ角度で記録媒体に入射させ、出射した再生光を受光部にて受光することで、ホログラムから情報を再生することができる。
【０００３】
上記のようなホログラム再生装置は、光を発生する光源と、この光源からの光を記録媒体に対して所定角度となるようにする角度調整機構と、ホログラムからの再生光を受光し電気信号に変換する受光部とを備えている。これらを一体化してホログラム再生ヘッドとして構成したものが知られている。例えば特許文献１や特許文献２に挙げるようなものがある。
【特許文献１】特開２０００−８２２３５号公報
【特許文献２】特開２００１−２６６３９９号公報
【発明の開示】
【発明が解決しようとする課題】
【０００４】
しかし、従来のホログラム再生ヘッドにおいては、以下に述べる問題点を有していた。ホログラムの原理を用いた記録装置においては、ホログラムを記録媒体に多重記録できるために記録密度を高めることができることがその特徴として挙げられる。しかし、従来のホログラム再生ヘッドでは、多重記録されたホログラムをそれぞれ分離して再生することはできなかった。したがって、記録媒体上に各ホログラムを離隔して配置しているために、記録密度を向上させることが困難であった。
【０００５】
本発明は上記課題を鑑みてなされたものであり、簡易な構成により高密度にホログラムが形成された記録媒体から情報を再生することのできるホログラム再生ヘッドを提供することを目的とする。
【課題を解決するための手段】
【０００６】
上記課題を解決するため、本発明に係るホログラム再生ヘッドは、記録媒体上のホログラムに記録された情報を再生するホログラム再生ヘッドにおいて、
上記ホログラムを再生するための参照光を発生する光源と、上記ホログラムからの再生光を受光する受光部とを同一基板上に配置し、該基板と対向するように上記光源からの光及び上記再生光を透過させる透明板を設け、該透明板には上記光源と対向する位置に上記参照光を回折させ上記ホログラムに入射させる光路変更ホログラムを設けると共に、上記透明板の表面には上記ホログラムからの再生光が透過する位置にピンホールフィルタを設けたことを特徴として構成されている。
【０００７】
また、本発明に係るホログラム再生ヘッドは、上記光路変更ホログラムは上記参照光を２つの光に分岐させ、該分岐した一方の光は上記ホログラムに入射して再生光となり上記受光部に入射し、他方の光は上記記録媒体上に形成された位置制御用ホログラムに入射して位置制御情報光となり上記受光部に入射することを特徴として構成されている。
【０００８】
さらに、本発明に係るホログラム再生ヘッドは、記録媒体上のホログラムに記録された情報を再生するホログラム再生ヘッドにおいて、
上記ホログラムを再生するための参照光を発生しホログラムに入射させる発光部と、上記ホログラムからの再生光を受光する受光部とを同一基板上に配置し、該基板と対向するように上記参照光及び再生光を透過させる透明板を設け、上記透明板の表面には上記ホログラムからの再生光が透過する位置にピンホールフィルタを設けたことを特徴として構成されている。
【０００９】
さらにまた、本発明に係るホログラム再生ヘッドは、上記発光部は上記参照光を発生する光源と、該光源からの光を上記ホログラムに入射させるレンズ部とを鏡筒内に納めてなることを特徴として構成されている。
【００１０】
そして、本発明に係るホログラム再生ヘッドは、上記レンズ部は集光レンズと該集光レンズの後方に配置されるコリメーターレンズとからなることを特徴として構成されている。
【００１１】
また、本発明に係るホログラム再生ヘッドは、上記透明板の表面には上記ホログラムからの再生光が透過する位置の周囲部に遮光物からなる不透過膜が形成されて上記ピンホールフィルタを構成することを特徴として構成されている。
【００１２】
さらに、本発明に係るホログラム再生ヘッドは、上記ピンホールフィルタは上記ホログラムからの再生光のビームウエスト位置に配置されることを特徴として構成されている。
【発明の効果】
【００１３】
本発明に係るホログラム再生ヘッドによれば、参照光を発生する光源と再生光を受光する受光部とを同一基板上に配置し、基板と対向するように光源からの光及び再生光を透過させる透明板を設け、透明板には光源と対向する位置に参照光を回折させホログラムに入射させる光路変更ホログラムを設けたので、ホログラムの再生装置を一体化して簡易に構成することができる。また、透明板の表面にはホログラムからの再生光が透過する位置にピンホールフィルタを設けたことにより、ホログラムが重複して記録されていても、所定のホログラムからの再生光のみを分離して取り出すことができるので、ホログラムを記録媒体に高密度に形成しておくことができ、情報の記録密度を高くすることができる。
【００１４】
また、本発明に係るホログラム再生ヘッドによれば、光路変更ホログラムは参照光を２つの光に分岐させ、分岐した一方の光はホログラムに入射して再生光となり、他方の光は記録媒体上に形成された位置制御用ホログラムに入射して位置制御情報光となることにより、簡易な構成により焦点合わせや位置合わせを行うことができる。
【００１５】
さらに、本発明に係るホログラム再生ヘッドによれば、参照光を発生しホログラムに入射させる発光部と再生光を受光する受光部とを同一基板上に配置し、基板と対向するように参照光及び再生光を透過させる透明板を設け、透明板の表面にはホログラムからの再生光が透過する位置にピンホールフィルタを設けたことにより、参照光が複数のホログラムに入射しても、ピンホールフィルタに対応するホログラムからの再生光のみを分離して取り出すことができるので、ホログラムを記録媒体に高密度に形成しておくことができ、情報の記録密度を高くすることができる。
【００１６】
さらにまた、本発明に係るホログラム再生ヘッドによれば、発光部は参照光を発生する光源と、光源からの光をホログラムに入射させるレンズ部とを鏡筒内に納めてなることにより、ヘッド本体内における参照光の散乱を防止することができるため、迷光の影響を抑えることができる。
【００１７】
そして、本発明に係るホログラム再生ヘッドによれば、レンズ部は集光レンズと集光レンズの後方に配置されるコリメーターレンズとからなるので、ホログラムの大きさに対応した参照光を記録媒体に均一に照射することができる。
【００１８】
また、本発明に係るホログラム再生ヘッドによれば、透明板の表面にはホログラムからの再生光が透過する位置の周囲部に遮光物からなる不透過膜が形成されてピンホールフィルタを構成することにより、透明板表面に成膜を行うことでピンホールフィルタを形成することができるので、製造を容易にすることができる。
【００１９】
さらに、本発明に係るホログラム再生ヘッドによれば、ピンホールフィルタはホログラムからの再生光のビームウエスト位置に配置されることにより、重複したホログラムからの再生光を確実に遮断することができる。
【発明を実施するための最良の形態】
【００２０】
本発明の実施形態について図面に添って詳細に説明する。図１は、第１の実施形態におけるホログラム再生ヘッドの構成図である。この図に示すように、本実施形態におけるホログラム再生ヘッドは、箱状のヘッド本体１内にレーザ光を発振する光源３と光を受光して電気信号に変換する受光部４を納め、さらに光源３及び受光部４と対向するように透明板５を設けてなるものである。
【００２１】
ヘッド本体１の内面には、その一面に基板２が設けられる。この基板２上に光源３と受光部４を配置している。基板２が設けられた面と対向する面が透明板５により構成されている。透明板５は、光源３からの出射光２０及び後述するホログラム１１からの再生光２２を透過させる。
【００２２】
透明板５において光源３からの出射光２０が入射する位置には、光路変更ホログラム５ａが形成されている。光路変更ホログラム５ａは、光源３からの出射光２０をホログラム１１の方向に回折させるものである。回折して角度が変化した出射光２０は、参照光２１となってホログラム１１に入射する。この光路変更ホログラム５ａは、物体光と参照光の干渉により形成されるもので、物体光としては図１に示す参照光２１と同じ角度及び同じ波長の光を用いる。また、参照光としては図１に示す出射光２０と同じ角度及び同じ波長の光を用いる。
【００２３】
ヘッド本体１は、記録媒体１０に対向するように配置される。記録媒体１０は、板状であってディスク型やカード型に形成されている。また、この記録媒体１０には物体光と参照光の干渉によりホログラム１１が形成されている。ホログラム１１は、符号化された物体光で形成されることにより、所定の情報を有している。
【００２４】
以上の構成における光の経路について説明する。光源３から発振された出射光２０は発散光であって、光源３と対向する透明板５の光路変更ホログラム５ａに入射する。光源３からの出射光２０は、光路変更ホログラム５ａによって回折し、その角度を変えて参照光２１となる。参照光２１は、記録媒体１０のホログラム１１に所定角度で入射し、回折して再生光２２となる。
【００２５】
再生光２２は、ホログラム１１からヘッド本体１の方向に向かって出射し、透明板５を透過して受光部４に入射する。再生光２２を受光した受光部４は、光信号を電気信号に変換して、ホログラム１１に記録された情報を読み取ることができる。
【００２６】
光源３と受光部４は基板２を介してヘッド本体１と一体化されており、また光路変更ホログラム５ａも透明板５を介してヘッド本体１と一体化されているので、ホログラム再生装置全体をユニット化して簡易に構成することができる。また、記録媒体１０にホログラム１１が複数形成されている場合には、ヘッド本体１をスライダ等のアクチュエータにより平行移動させることにより、各ホログラム１１から情報を読み取ることができる。ヘッド本体１を記録媒体１０の平面方向に移動させる駆動ユニット４０の詳細については後述する。
【００２７】
次に、本発明の第２の実施形態について説明する。図２は本実施形態におけるホログラム再生ヘッドの構成図である。この図に示すように、本実施形態ではヘッド本体１と光源３及び受光部４の構成については、第１の実施形態と同様である。一方、透明板５に形成された光路変更ホログラム５ａは第１の実施形態のものとは異なっている。
【００２８】
本実施形態における光路変更ホログラム５ａは、光源３からの出射光２０を回折させると共に、２つの光に分岐させる。一方の光は、記録媒体１０のホログラム１１に入射する参照光２１ａとなり、もう一方の光は、記録媒体１０のホログラム１１近傍に形成される位置制御用ホログラム１２に入射する分岐光２１ｂとなる。
【００２９】
参照光２１ａは、ホログラム１１に入射して回折し、再生光２２ａとなって透明板５を介して受光部４に入射する。分岐光２１ｂは、位置制御用ホログラム１２に入射して回折し、再生光２２ｂとなって透明板５を介して受光部４に入射する。位置制御用ホログラム１２からの再生光２２ｂは、ヘッド本体１のホログラム１１に対する位置合わせや焦点合わせのために用いることができる。
【００３０】
次に、本発明の第３の実施形態について説明する。図３は本実施形態におけるホログラム再生ヘッドの構成図である。この図に示すように、本実施形態においても、ヘッド本体１と光源３及び受光部４の構成については、第１の実施形態と同様である。透明板５が光源３や受光部４が配置される基板２と対向するように設けられる点についても同様である。
【００３１】
本実施形態では、透明板５の表面に遮光性の膜部６を設けてある。膜部６は、透明板５上に成膜できるものであって遮光性を有しているものであればよく、例えば金属膜などを用いることができる。ここで、膜部６は光路変更ホログラム５ａから出射する参照光２１と、ホログラム１１から出射する再生光２２は透過するように開口している。
【００３２】
特に、ホログラム１１の再生光２２を通過させる開口は、ピンホールフィルタ６ａとしている。ホログラム１１は、再生光２２がビームウエスト２３を有するように形成されており、このビームウエスト２３がピンホールフィルタ６ａの位置となるように設定されている。これによりホログラム１１が一部重複して記録媒体１０に形成されていても、各ホログラム１１からの光をそれぞれ分離することができる。以下それについて説明する。
【００３３】
図３に示すように、記録媒体１０にはホログラム１１ａ、１１ｂ、１１ｃがそれぞれ互いに一部重複するように形成されている。光源３からの出射光２０は光路変更ホログラム５ａによって回折し、その角度を変えて収束光または平行光である参照光２１となる。この参照光２１は、ホログラム１１ａに入射し、再生光２２を発生させる。それと共に、ホログラム１１ｂのホログラム１１ａと重複する部分からも再生光２２ｃが発生する。
【００３４】
ここで、再生光２２は収束光となっており、ビームウエスト２３位置にピンホールフィルタ６ａが配置されているので、ホログラム１１ａと一部重複するホログラム１１ｂからの再生光２２ｃはピンホールフィルタ６ａを通過することはできず、膜部６によって遮断される。
【００３５】
ホログラム１１ｂを再生するには、ヘッド本体１を平行移動させて、参照光２１の各位置がそれぞれ所定の角度でホログラム１１ｂに入射するようにすればよい。この場合には、逆にホログラム１１ａのホログラム１１ｂとの重複部分からも再生光が発生するが、この再生光はピンホールフィルタ６ａを通過することなく膜部６によって遮断される。同様にホログラム１１ｃについてもヘッド本体１を平行移動させることで再生することができる。
【００３６】
このように、ピンホールフィルタ６ａを設けることによって、ホログラム１１を一部重複するように形成していても、各ホログラム１１、１１からの再生光を分離することができるので、記録媒体１０にホログラム１１を高密度に形成しておくことができる。また、ピンホールフィルタ６ａは透明板５表面に形成された膜部６の開口として構成されているので、光源３や受光部４及び光路変更ホログラム５ａと共に一体的にしかも容易に製造することができて、小型かつ安価なホログラム再生ヘッドとすることができる。
【００３７】
なお、本実施形態においても第２の実施形態のように、光路変更ホログラム５ａで出射光２０をホログラム１１を再生するための参照光２１と、位置制御用ホログラム１２を再生するための分岐光２１ｂとに分岐させることもできる。その場合には、膜部６においてピンホールフィルタ６ａの他に位置制御用ホログラム１２からの再生光２２ｂを通過させる開口を設ける必要がある。
【００３８】
次に、本発明の第４の実施形態について説明する。図４は本実施形態におけるホログラム再生ヘッドの構成図である。この図に示すように、本実施形態においても、ヘッド本体１に光源３と受光部４とを納めると共に、透明板５の表面にホログラム１１からの再生光２２を透過させるピンホールフィルタ６ａを設ける構成は、第３の実施形態と同様である。すなわち、透明板５の表面には遮光性の膜部６が設けられる。膜部６は参照光２１とホログラム１１からの再生光２２を透過させる開口を有しており、ホログラム１１からの再生光２２を透過させる開口をピンホールフィルタ６ａとする。
【００３９】
本実施形態においては、透明板５上に光路変更ホログラム５ａを設けず、レーザ光を発振する光源３と、光源３からの出射光２０をホログラム１１に入射させるレンズ部３１とを鏡筒３２内に収容して発光部３０を構成する点で第１の実施形態と異なっている。また、受光部４が配置される基板２上に所定角度を有する台座３３を設ける。本実施形態は透明板５上に光路変更ホログラム５ａを設けない構成としたので、参照光２１を記録媒体１０のホログラム１１に入射させるため、発光部３０を台座３３上に配置する。
【００４０】
光源３からの出射光２０をホログラム１１に入射させるレンズ部３１は集光レンズ３１ａと、その後方に配置されるコリメーターレンズ３１ｂとから構成される。集光レンズ３１ａは、入射光線を所定の収束角を有して焦点に結ばせるレンズである。これにより、光源３からの光は一旦焦点に収束し、それから発散光束となり、ビーム径がホログラム１１に対応する大きさとなってコリメーターレンズ３１ｂに入射する。ただし、ヘッド本体１の記録媒体１０に対する位置決めを容易にするため、コリメーターレンズ３１ｂに入射する光のビーム径をホログラム１１に対してより大きいものとする。
【００４１】
光源３から出射する光の広がり角は非常に小さく、光源３からの光を直接コリメーターレンズ３１ｂに入射させることとすると、ビーム径をホログラム１１の大きさに対応させるために光源３とコリメーターレンズ３１ｂ間の距離が大きくなる。しかし、集光レンズ３１ａを設けることによって、コリメーターレンズ３１ｂにおける光のビーム径を拡大させることができるので、光源３とコリメーターレンズ３１ｂ間を狭めることができ、装置全体の小型化を図ることができる。
【００４２】
コリメーターレンズ３１ｂは、伝播方向に広がりのある光線束をそれぞれ方向のそろった平行光とするものであり、集光レンズ３１ａの後方に設けられ、集光レンズ３１ａを透過した光が入射する。コリメーターレンズ３１ｂを透過した参照光２１は、平行光となって記録媒体１０に形成されたホログラム１１に入射する。
【００４３】
光源３とレンズ部３１とを収容する鏡筒３２は、参照光２１の出射方向に沿って形成され、その先端部が透明板５に当接するように設けられる。ここで、発光部３０は記録媒体１０に対して所定角度を有して配置されるため、鏡筒３２の先端部３２ａは、一部を斜めに切り取った形状とする。これにより、光源３からの光がヘッド本体１内に散乱することなく記録媒体１０に入射するので、受光部４に対する迷光の影響を抑えることができる。
【００４４】
本実施形態では記録媒体１０にはホログラム１１が複数形成されており、図５に示すように、ｘｙ方向に格子状に配列されている。また、図４に示すように、ホログラム１１は、参照光２１の入射により発生する再生光２２がそれぞれ受光部４に向かって略平行に出射すると共に、膜部６の高さにビームウエスト２３を有するように形成されている。
【００４５】
ここで、発光部３０からの参照光２１は、記録媒体１０におけるビーム径が各ホログラム１１よりも大きいため、図４に示すように複数のホログラム１１ａ、１１ｂ、１１ｃに入射し、各ホログラム１１からは再生光２２がそれぞれ出射する。各ホログラム１１からの再生光２２はそれぞれ受光部４に向かって略平行に出射するので、ピンホールフィルタ６ａに対応するホログラム１１ｂからの再生光２２ｂのみが透明板５を透過し、それ以外のホログラム１１ａ、１１ｃからの再生光２２ａ、２２ｃは膜部６によって遮断される。すなわち、複数のホログラム１１、１１から再生光２２が出射しても所定のホログラム１１からの再生光２２のみを受光部４で受光することができる。
【００４６】
さらに、ホログラム１１が隣接するホログラム１１と互いに一部が重複して形成された場合にも同様に所定のホログラム１１からの再生光２２のみを読み取ることができる。以下それについて説明する。
【００４７】
図６は、ホログラム１１が一部重複して形成された場合の光の経路について示した拡大図であり、ヘッド本体１内の発光部３０及び受光部４を省略したものである。この図に示すように、各ホログラム１１からの再生光２２はそれぞれ膜部６の高さにビームウエスト２３を有しており、受光部４に向かってそれぞれ略平行に出射するため、各ホログラム１１が互いに一部重複していても再生光２２はそれぞれ膜部６の異なる位置に収束する。したがって、ピンホールフィルタ６ａに対応するホログラム１１からの再生光２２のみが透明板５を透過し、受光部４において受光される。これにより、ホログラム１１を記録媒体１０に高密度に形成しておくことができ、情報の記録密度を向上させることができる。
【００４８】
次に、ヘッド本体１を各ホログラム１１に対応する位置に移動させる駆動ユニット４０について説明する。図７に本実施形態における駆動ユニット４０の構成について示す。また、図８は図７のＡ−Ａ断面図である。図７に示すように、駆動ユニット４０は、ホログラム再生ヘッドを記録媒体１０のホログラム１１に対して位置決めするために用いられ、ヘッド本体１を載置する載置板４１と、載置板４１を記録媒体１０のｘ方向に移動させる第１駆動部４２と、第１駆動部４２を記録媒体１０のｙ方向に移動させる第２駆動部４３とから構成される。
【００４９】
ヘッド本体１は、載置板４１に載置されて記録媒体１０に対し垂直方向に移動しないように支持される。載置板４１は、図７に示す上側及び下側にスライダ４４ａ、４４ｂをそれぞれ有しており、第１駆動部４２内に配置される。
【００５０】
第１駆動部４２は、略方形の枠形状に形成され、図７に示す上側及び下側の枠４５ａ、４５ｂを載置板４１のスライダ４４ａ、４４ｂに対応するガイドとして円柱状に形成される。ここで、上側の枠４５ａはネジ状に形成され、図８に示すように、一端を回転自在に支持されると共に、もう一端を回転ギア４６を介してモータ４７と連結している。このため、モータ４７によって回転自在とされている。ここで、載置板４１の上側のスライダ４４ａは、図８に示すように、第１駆動部４２の上側の枠４５ａと適合するようにネジ状に形成され、第１駆動部４２の上側の枠４５ａと噛合する。すなわち、第１駆動部４２の上側の枠４５ａを回転させることにより、載置板４１を記録媒体１０のｘ方向に移動させることができる。
【００５１】
また、第１駆動部４２は右側及び左側の枠４８ａ、４８ｂにスライダ４９ａ、４９ｂをそれぞれ有しており、第２駆動部４３内に配置される。第２駆動部４３は、略方形の枠形状に形成され、右側及び左側の枠５０ａ、５０ｂを第１駆動部４２のスライダ４９ａ、４９ｂに対応するガイドとして円柱状に形成される。ここで、右側の枠５０ａはネジ状に形成され、一端を回転自在に支持されると共に、もう一端を回転ギア５１を介してモータ５２と連結しており、モータ５２によって回転自在とされる。ここで、第１駆動部４２の右側のスライダ４９ａは、第２駆動部４３の右側の枠５０ａに適合するようにネジ状に形成され、第２駆動部４３の右側の枠５０ａと噛合する。このため、第２駆動部４３の右側の枠５０ａを回転させることにより、第１駆動部４２を記録媒体１０のｙ方向に移動させることができる。
【００５２】
したがって、第１駆動部４２と第２駆動部４３で載置板４１を記録媒体１０のｘｙ方向にそれぞれ移動させることで、ヘッド本体１を各ホログラム１１に対して位置決めをすることができる。
【００５３】
以上、本発明の実施形態について説明したが、本発明の適用はこれら実施形態には限られず、その技術的思想の範囲内において様々に適用されうるものである。
【図面の簡単な説明】
【００５４】
【図１】第１の実施形態におけるホログラム再生ヘッドの構成図である。
【図２】第２の実施形態におけるホログラム再生ヘッドの構成図である。
【図３】第３の実施形態におけるホログラム再生ヘッドの構成図である。
【図４】第４の実施形態におけるホログラム再生ヘッドの構成図である。
【図５】記録媒体上のホログラムの配列について示した図である。
【図６】ホログラムが重複して配置されている場合の読み出しについて示した拡大断面図である。
【図７】ホログラム再生ヘッドと駆動ユニットとの関係を示した図である。
【図８】図７のＡ−Ａ断面図である。
【符号の説明】
【００５５】
１    ヘッド本体
２    基板
３    光源
４    受光部
５    透明板
５ａ  光路変更ホログラム
６    膜部
６ａ  ピンホールフィルタ
１０    記録媒体
１１    ホログラム
１２    位置制御用ホログラム
３０    発光部
３１    レンズ部
３１ａ  集光レンズ
３２ｂ  コリメーターレンズ
３２    鏡筒
４０    駆動ユニット
４１    載置板
４２    第１駆動部
４３    第２駆動部
【図１】
2006099925.tif 000003
【図２】
2006099925.tif 000004
【図３】
2006099925.tif 000005
【図４】
2006099925.tif 000006
【図５】
2006099925.tif 000007
【図６】
2006099925.tif 000008
【図７】
2006099925.tif 000009
【図８】
2006099925.tif 000010